(57)【要約】【課題】  会議などでホワイトボードを使用して説明をするときに、フェルトペンをホワイトボード上の最も使用し易い場所にフェルトペンの向きも含めて自由に留めておくことができれば、フェルトペンを頻繁に手に持ったり手から離したりするような場合に便利である。そこで本発明は、手に持って使用する筆記具等の手道具を鉄板などに自由に留めておくことができるホルダーを提供することを目的とする。【解決手段】  筆記具等の手道具のホルダーであって、このホルダーは磁石を有していてホワイトボードや鉄板などに吸い付くことが可能であり、手道具を保持するための挿入部を有し、挿入部の内面には複数の可撓性を有する凸部が設けられており、挿入部に手道具を挿入したときにこの手道具と凸部が圧接することにより生じる摩擦力で手道具を保持する。【選択図】  図１
2005305706.tif 000002
【特許請求の範囲】
【請求項１】
筆記具等の手道具のホルダーであって、このホルダーは磁石を有していてホワイトボードや鉄板などに吸い付くことが可能であり、手道具を保持するための挿入部を有し、挿入部の内面には複数の可撓性を有する凸部が設けられており、挿入部に手道具を挿入したときにこの手道具と凸部が圧接することにより生じる摩擦力で手道具を保持することを特徴とする手道具のホルダー。
【請求項２】
凸部は柱状に形成され、この凸部は挿入部の内面の全体に形成されておらず、複数の凸部の集合した凸部群が内面に点在している請求項１記載のホルダー。
【請求項３】
挿入部の内面は対向する一対の弧状面と、対向する一対の平面に囲まれており、前記弧状面に凸部が設けられている請求項１又は請求項２記載のホルダー。
【請求項４】
凸部は可撓性を有するプレートに一体に形成され、このプレートが挿入部の中に貼着され凸部が設けられている請求項１乃至請求項３記載のホルダー。
【請求項５】
凸部は内面に対して直立しておらず傾斜して立っており、その傾斜方向は挿入部に手道具を挿入する方向である請求項２乃至請求項４記載のホルダー。
【発明の詳細な説明】
【技術分野】
【０００１】
本発明は、筆記具等の手道具を安定的に保持することができるホルダーに関する。
【背景技術】
【０００２】
紙を挟んで安定的に保持するホルダーは存在する（例えば、特許文献１参照。）。
【特許文献１】特開平３−２５４９９８号公報
【発明の開示】
【発明が解決しようとする課題】
【０００３】
特許文献１のホルダーは紙を挟んで保持するものであり、筆記具のような手道具を保持することができない。例えば会議などでホワイトボードを使用して説明をするときに、文字を書き付けるためのフェルトペンをホワイトボード上の最も使用し易い場所にフェルトペンの向きも含めて自由に留めておくことができれば、フェルトペンを頻繁に手に持ったり手から離したりするような場合に便利である。また、ホワイトボードにフェルトペン用のトレーが設けてあってもフェルトペンは横に寝かせた状態で置かれるから、比較的細いフェルトペンは手で取り上げにくいのである。そこで本発明は、手に持って使用する筆記具等の手道具を鉄板などに自由に留めておくことができるホルダーを提供することを目的とする。
【課題を解決するための手段】
【０００４】
本発明の請求項１は、筆記具等の手道具のホルダーであって、このホルダーは磁石を有していてホワイトボードや鉄板などに吸い付くことが可能であり、手道具を保持するための挿入部を有し、挿入部の内面には複数の可撓性を有する凸部が設けられており、挿入部に手道具を挿入したときにこの手道具と凸部が圧接することにより生じる摩擦力で手道具を保持する構成である。
【０００５】
請求項２は、凸部が柱状に形成され、この凸部は挿入部の内面の全体に形成されておらず、複数の凸部の集合した凸部群が内面に点在している要素が請求項１に限定的に付加された構成である。請求項３は、挿入部の内面が対向する一対の弧状面と、対向する一対の平面に囲まれており、前記弧状面に凸部が設けられている要素が請求項１又は請求項２に限定的に付加された構成である。
【０００６】
請求項４は、凸部が可撓性を有するプレートに一体に形成され、このプレートが挿入部の中に貼着され凸部が設けられている要素が請求項１乃至請求項３に限定的に付加された構成である。請求項５は、凸部が内面に対して直立しておらず傾斜して立っており、その傾斜方向は挿入部に手道具を挿入する方向である要素が請求項２乃至請求項４に限定的に付加された構成である。
【発明の効果】
【０００７】
請求項１は、ホルダーは手道具を保持するための挿入部を有し、挿入部の内面には複数の可撓性を有する凸部が設けられており、挿入部に手道具を挿入したときにこの手道具と凸部が圧接することにより生じる摩擦力で手道具を保持する。したがって、ホルダーに手道具を挿入すると、凸部との摩擦力によって手道具は保持されて挿入部からずり落ちることがなく、手道具をホワイトボードや鉄板のどの場所でも自由に留めておくことができる。また、手道具を横方向や下方など自由な方向に向けて留めておくこともできる。さらに、手道具を使用するときはホルダーを外して使用してもよく、あるいはホルダーを付けたままで使用することもできる。
【０００８】
請求項２は、凸部が柱状に形成され、この凸部は挿入部の内面の全体に形成されておらず、複数の凸部の集合した凸部群が内面に点在している構成である。凸部が全体に形成されていないから手道具が凸部から受ける圧力が必要以上に大きくならず、手道具を挿入部から引き抜くときに円滑に行うことができる。また、凸部群が点在しているので、挿入された手道具を確実に保持することができる。１本の柱状凸部が点在するときは十分な保持力を得ることができず、手道具が抜け出す虞がある。
【０００９】
請求項３は、挿入部の内面が対向する一対の弧状面と、対向する一対の平面に囲まれており、前記弧状面に凸部が設けられている。したがって、ホルダーは、挿入部を円形にしたときよりもスリムに形成することができる。また、平面状の内面に凸部を設けないのでホルダーを軽くすることができる。
【００１０】
請求項４は、凸部が可撓のプレートに一体に形成され、このプレートが挿入部の中に貼着され凸部が設けられている。したがって、プレートを挿入部に挿入し固着することにより挿入部の内面に凸部を容易に設けることができる。
【００１１】
凸部は内面に対して直立しておらず傾斜して立っており、その傾斜方向は挿入部に手道具を挿入する方向である。したがって、手道具を挿入部に容易に挿入することができる。また、手道具を引き抜くときは凸部の抵抗が大きくなるので、手道具が自然に抜け出すことがない。
【発明を実施するための最良の形態】
【００１２】
次に本発明を実施するための最良の形態について説明する。この形態はフェルトペンのホルダーに関する。図１に示すようにホルダー１には内面が円形をなす挿入部２が形成されており、この挿入部２の内面には同一に形成された３つのプレート３が段を違えて貼着されている。１つのプレートを貼着する場合は、深さの異なる挿入部ごとにサイズの異なるプレートを製造しなければならないが、プレートを複数としてプレートの幅を狭くすれば深さの異なる挿入部に対応してプレートの数を変えればよいので、同一サイズに形成されたプレートで深さの異なる挿入部に対応できるからコストを抑えることができる。本発明はこのように複数のプレートを挿入部２の内面に貼着する構成に限定されないことは勿論であって、１枚のプレート貼着するものであってもよい。
【００１３】
図３に示すように、各プレート３の表面に柱状の凸部４が斜め下向きに一体に形成されており、４つの凸部４が集合して凸部群５を構成し、４つの凸部群５が間隔を置いて並んでいる。したがって、手道具はその周囲の複数の位置で凸部から圧力を受けるので、手道具を挿入部から引き抜く際に手道具の表面が挿入部の内面と擦れることがなく傷が付かない。プレート３及び凸部４は柔軟性のある材料であればよく、例えばエラストマーやシリコンゴムなどが使用される。また、凸部４は柱状に限定されないことは勿論であって、例えばフィン状の凸部であっても差し支えない。柱状凸部もフィン状凸部も挿入部２の内面の全周に亘って設けてもよいが、図３に示すように間隔を置いて設けることが好ましい。凸部は下向きに傾斜しなくてもよく、内面から直立するものであってもよい。
【００１４】
図１に示すように、各プレート３を挿入部２の内面に貼着したときの両端の継ぎ目６は上下のプレートでずれており、したがって、図２に示すように各プレート３の凸部群５は挿入部２内で点在するように間隔を置いている。サイズも凸部群も同一に形成された複数のプレートを段を違えて挿入部の内面に貼着したときに、上下に隣合うプレートの凸部群もずれるので各凸部群を点在させることができる。また、図２における各凸部群５に内接する円の直径は、そこに挿入されるべきフェルトペンの直径よりもやや小さい。これにより、フェルトペンは挿入部２内に確実に保持されるのである。
【００１５】
図１に示すようにホルダー１の側面の一部は平らに形成され、この平らな側面７に磁石８が取り付けられている。したがって、鉄製のホワイトボードにホルダー１を吸い付けて使用することができる。図４に示すようにフェルトペン９はその尻部を挿入部２内に挿入する。また挿入部２には底部１０が設けられているので、フェルトペン９を挿入するための挿入口は１つであるからフェルトペン９の挿入口について迷うことはない。本発明は底部１０を設けたものに限定されるものでなく、底部１０がなく貫通した挿入部２であってもよい。この場合は、挿入口がいずれの口が迷うのでフェルトペン９の挿入方向をホルダー１の表面に矢印などで表示することが好ましい。また、底部１０が存在しないホルダー１であるときは、フェルトペン９の尻部が挿入部２から突き出るように挿入することもできるので、フェルトペンが通常よりも長いときはこのように挿入してホワイトボードに吸い付けておけば、ホルダー１が重心近くに位置するのでホルダーに大きなモーメントが加わらず安定する。
【００１６】
図５は底部１０に磁石８を取り付けたホルダーである。このように構成すれば、ホワイトボードにホルダー１を吸い付けたときにフェルトペン９はホワイトボードから直角の方向を向くのでフェルトペン９の着脱を楽に行うことができる。また、図６は平らな側面を傾斜面として磁石８を取り付けた構成である。この場合も、ホルダー１をホワイトボードに吸い付けたときにフェルトペン９はホワイトボードに平行に沿わず、フェルトペン９の先端はホワイトボードから離れるのでフェルトペン９の着脱を楽に行うことができる。
【００１７】
図７は他の実施の形態を示したものであって、挿入部２の内面は対向する一対の弧状面１１，１１と、対向する一対の平面１２，１２に囲まれており、弧状面１１，１１に凸部４及びその凸部群５が設けられている。この形態では２枚のプレート３，３が使用されている。このように本発明は、複数のプレート３が間隔を開けて挿入部２の長さ方向に延びるように貼着してもよく、前述したように複数のプレートを上下に段を違えて貼着してもよく、１枚のプレートを貼着するものであってもよい。
【図面の簡単な説明】
【００１８】
【図１】本発明の斜視図
【図２】本発明の平面図
【図３】プレートの正面図
【図４】本発明の使用状態図
【図５】本発明の他の使用状態図
【図６】本発明の他の使用状態図
【図７】本発明の他の形態の平面図
【符号の説明】
【００１９】
１  ホルダー
２  挿入部
３  プレート
４  凸部
５  凸部群
６  継ぎ目
７  平らな側面
８  磁石
９  フェルトペン
１０  底部
１１  弧状面
１２  平面
【図１】
2005305706.tif 000003
【図２】
2005305706.tif 000004
【図３】
2005305706.tif 000005
【図４】
2005305706.tif 000006
【図５】
2005305706.tif 000007
【図６】
2005305706.tif 000008
【図７】
2005305706.tif 000009